(57)【要約】【課題】飛沫を確実に捕集でき飛沫感染を抑制でき、構成簡素でコストが低廉な感染制御ユニットを提供する。【解決手段】本発明の感染制御ユニットは、移動手段２ｃ１、２ｃ２を有する支持台２と、支持台２に設けられ、椅子Ｃ１に座った複数のユーザｐ１、ｐ２の間を仕切る仕切り部３ｄ１、３ｄ２、３ｄ３を有し、ユーザｐ１、ｐ２の頭部ｐ１ａ、ｐ２ａを覆う第１状態とユーザｐ１、ｐ２の頭部ｐ１ａ、ｐ２ａを開放する第２状態とに移動するフード３と、第１状態のフード３内の空気を吸い込み、清浄化して外部に吐き出す清浄化手段４、５とを備えている。【選択図】図１
2015037475.tif 000002
【特許請求の範囲】
【請求項１】
移動手段を有する支持台と、
前記支持台に設けられ、椅子に座った複数のユーザの間を仕切る仕切り部を有し、前記ユーザの頭部を覆う第１状態と前記ユーザの頭部を開放する第２状態とに移動するフードと、
前記第１状態の前記フード内の空気を吸い込み、清浄化して外部に吐き出す清浄化手段とを
備えることを特徴とする感染制御ユニット。
【請求項２】
前記フードは、前記第１状態において前記ユーザ毎に当該ユーザの頭部を開放する第３状態と前記第１状態とに移行させる移動部材を有する
ことを特徴とする請求項１に記載の感染制御ユニット。
【請求項３】
前記フードは、前記ユーザ毎に独立して設けられる
ことを特徴とする請求項１に記載の感染制御ユニット。
【請求項４】
前記フードと前記第１状態にある当該フード内の空気を清浄化する前記清浄化手段とは、各ユーザ毎に設けられ、
前記各ユーザが座る座席の位置に前記フードおよび前記清浄化手段を移動させるフード・清浄機移動手段を有する
ことを特徴とする請求項１に記載の感染制御ユニット。
【請求項５】
前記フードは、前記ユーザ毎に独立して設けられ、前記フードを移動させるフード移動手段をさらに備え、
前記清浄化手段は、
前記フード内の空気が吸い込まれて流れ、柔軟性をもつフレキシブルダクトと、
該フレキシブルダクトが接続されるとともに前記空気を清浄化するフィルタとファンとを有するファン・フィルタ部とを具える
ことを特徴とする請求項１に記載の感染制御ユニット。
【請求項６】
前記フードは、回転自在に支持される複数の骨部材と、該複数の骨部材に支持される柔軟性のあるシート部材とを有し、
前記複数の骨部材が回転することで、前記シート部材を広げる前記第１状態と前記シート部材を狭める前記第２状態とに移行する
ことを特徴とする請求項１または請求項３から請求項５のうちの何れか一項に記載の感染制御ユニット。
【請求項７】
前記複数の骨部材は、前記シート部材をその端部で支持する第１骨部材と、前記シート部材をその央部で支持する第２骨部材とを有し、
前記第２骨部材は、
前記第１骨部材より長く形成され、かつ、
前記第１状態では、前記シート部材を前記第１骨部材より大きく広げる空間を形成し、
前記第２状態では、前記第１骨部材がその内方に収納される
ことを特徴とする請求項６に記載の感染制御ユニット。
【発明の詳細な説明】
【技術分野】
【０００１】
本発明は、病院の待合室など感染を防止する感染制御ユニットに関する。
【背景技術】
【０００２】
病院や診療所などの医療機関は、様々な病原体が集まることが想定され、患者間或いは患者と医療従事者との間で感染が生じ易い。そのため、感染を制御することが極めて重要となっている。
【０００３】
そこで、従来、気流などにより感染を制御する空調システムが様々に研究されているが主に重視されているのは、患者の滞在期間(入院期間)が長い多床室(４、６床室)や、患者と医者とが直に対面したり、接触する診察室、手術室である。
これに対して、不特定多数の人間が集まる待合室に対する対策は少ないままである。
【先行技術文献】
【特許文献】
【０００４】
【特許文献１】特開２００４−３４０３９５号公報
【特許文献２】特開２０１１−３１０１９号公報
【特許文献３】特開２０１２−０９５８５８号公報
【発明の概要】
【発明が解決しようとする課題】
【０００５】
ところで、上述の待合室のような場所で感染を制御する機器については、特許文献１のように、空気清浄機の機能を付加した製品も存在するが、飛沫を捕える確実性に欠けると考えられる。
【０００６】
また、特許文献２のように、インフルエンザなどの伝染病を想定し、ウイルスなどを含んだ飛沫を捕集するためのＨＥＰＡフィルタ(High Efficiency Particulate Air Filter)や患者が発する飛沫を捕えるためのフードを備えた機器は、何れも重量が大きく、高価であり、大量に導入できないという欠点がある。
【０００７】
上述の点を反省し、特許文献３のように、導入し易いように、軽量で安価な隔離手段も考案されているが、あくまで一時的な使用にのみ耐えるものである。
【０００８】
本発明は上記実状に鑑み、患者が発する飛沫を確実に補集でき飛沫感染を抑制でき、構成簡素でコストが低廉な感染制御ユニットの提供を目的とする。
【課題を解決するための手段】
【０００９】
上記目的を達成すべく、第１の本発明の感染制御ユニットは、移動手段を有する支持台と、前記支持台に設けられ、椅子に座った複数のユーザの間を仕切る仕切り部を有し、前記ユーザの頭部を覆う第１状態と前記ユーザの頭部を開放する第２状態とに移動するフードと、前記第１状態の前記フード内の空気を吸い込み、清浄化して外部に吐き出す清浄化手段とを備えている。
【００１０】
第１の本発明の感染制御ユニットによれば、支持台が移動手段を有するので、容易に感染制御ユニットを移動させて使用できる。また、ユーザの頭部を複数のユーザの間を仕切る仕切り部を有するフードで覆い、ユーザの飛沫を含む空気を清浄化手段で清浄にするので、飛沫感染を防止または抑制できる。また、複数のユーザをフードで覆えるので、構成簡素であり、コストが低廉な感染制御ユニットを実現できる。
【００１１】
第２の本発明の感染制御ユニットは、第１の本発明の感染制御ユニットにおいて、前記フードは、前記第１状態において前記ユーザ毎に当該ユーザの頭部を開放する第３状態と前記第１状態とに移行させる移動部材を有している。
【００１２】
第２の本発明の感染制御ユニットによれば、第１状態においてユーザ毎にユーザの頭部を開放する第３状態と第１状態とに移行させる移動部材を有するので、ユーザ毎に感染制御ユニットを使用するかしないかを選択できる。
【００１３】
第３の本発明の感染制御ユニットは、第１の本発明の感染制御ユニットにおいて、前記フードは、前記ユーザ毎に独立して設けられている。
【００１４】
第３の本発明の感染制御ユニットによれば、フードは、前記ユーザ毎に独立して設けられるので、ユーザ毎に感染制御ユニットを使用するかしないかを選択できる。
【００１５】
第４の本発明の感染制御ユニットは、第１の本発明の感染制御ユニットにおいて、前記フードと前記第１状態にある当該フード内の空気を清浄化する前記清浄化手段とは、各ユーザ毎に設けられ、前記各ユーザが座る座席の位置に前記フードおよび前記清浄化手段を移動させるフード・清浄機移動手段を有している。
【００１６】
第４の本発明の感染制御ユニットによれば、フードと第１状態にある当該フード内の空気を清浄化する前記清浄化手段とを移動させるフード・清浄機移動手段を有するので、ユーザの位置に合わせてフードと清浄化手段とを移動させて、感染制御ユニットを使用できる。
また、フードと当該フード内の空気を清浄化する清浄化手段とが、各ユーザ毎に設けられるので、空気の清浄化が効率高く行え、感染制御ユニットの空気の清浄化性能が向上する。
【００１７】
第５の本発明の感染制御ユニットは、第１の本発明の感染制御ユニットにおいて、前記フードは、前記ユーザ毎に独立して設けられ、前記フードを移動させるフード移動手段をさらに備え、前記清浄化手段は、前記フード内の空気が吸い込まれて流れ、柔軟性をもつフレキシブルダクトと、該フレキシブルダクトが接続されるとともに前記空気を清浄化するフィルタとファンとを有するファン・フィルタ部とを具えている。
【００１８】
第５の本発明の感染制御ユニットによれば、フードは、ユーザ毎に独立して設けられ、フードを移動させるフード移動手段をさらに備えるので、ユーザの位置に合わせてフードを移動させて使用できる。
【００１９】
第６の本発明の感染制御ユニットは、第１または第３から第５のうちの何れかの感染制御ユニットにおいて、前記フードは、回転自在に支持される複数の骨部材と、該複数の骨部材に支持される柔軟性のあるシート部材とを有し、前記複数の骨部材が回転することで、前記シート部材を広げる前記第１状態と前記シート部材を狭める前記第２状態とに移行している。
【００２０】
第６の本発明の感染制御ユニットによれば、フードは、シート部材を広げる第１状態とシート部材を狭める第２状態とに移行するので、感染制御ユニットを使用しない場合に、フードを狭いスペース内に収納でき、使い勝手がよい。
【００２１】
第７の本発明の感染制御ユニットは、第６の本発明の感染制御ユニットにおいて、前記複数の骨部材は、前記シート部材をその端部で支持する第１骨部材と、前記シート部材をその央部で支持する第２骨部材とを有し、前記第２骨部材は、前記第１骨部材より長く形成され、かつ、前記第１状態では、前記シート部材を前記第１骨部材より大きく広げる空間を形成し、前記第２状態では、前記第１骨部材がその内方に収納されている。
【００２２】
第７の本発明の感染制御ユニットによれば、第２骨部材は、第１骨部材より長く形成され、第１状態では、シート部材を第１骨部材より大きく広げる空間を形成するので、フード内の空気を滞留させ、効率的に清浄化できる。また、第２骨部材は、第１骨部材より長く形成され、第２状態では、第１骨部材がその内方に収納されるので、フードを使用しない場合に、より狭いスペースにフードを収納できる。
【発明の効果】
【００２３】
本発明によれば、飛沫を確実に補集でき飛沫感染を抑制でき、構成簡素でコストが低廉な感染制御ユニットを実現できる。
【図面の簡単な説明】
【００２４】
【図１】(ａ)は本発明に係る実施形態１の感染制御ユニットの使用状態を示す斜視摸式図、(ｂ)は本発明に係る実施形態１の感染制御ユニットの未使用状態を示す斜視摸式図。
【図２】感染制御ユニットの使用状態を側方から見た図。
【図３】(ａ)は実施形態１の変形例１の感染制御ユニットの使用状態を示す斜視摸式図、(ｂ)は本発明に係る実施形態１の変形例１の感染制御ユニットの未使用状態を示す斜視摸式図。
【図４】(ａ)は実施形態１の変形例２の感染制御ユニットの未使用状態を示す斜視摸式図、(ｂ)は本発明に係る実施形態１の変形例１の感染制御ユニットの使用状態を示す斜視摸式図。
【図５】(ａ)は実施形態１の変形例２の感染制御ユニットのフードを閉じた状態を側方から見た側面図、(ｂ)は実施形態１の変形例２の感染制御ユニットのフードを開いた状態を側方から見た側面図。
【図６】(ａ)は本発明に係る実施形態２の感染制御ユニットの使用状態を示す斜視図、(ｂ)は実施形態２の感染制御ユニットの未使用状態を示す斜視図。
【図７】(ａ)は図６(ａ)のＡ−Ａ線断面図、(ｂ)は図６(ａ)のＢ−Ｂ線断面図。
【図８】(ａ)は本発明に係る実施形態３の感染制御ユニットの使用状態を示す斜視図、(ｂ)は実施形態３の感染制御ユニットの未使用状態を示す斜視図。
【図９】(ａ)は本発明に係る実施形態４の感染制御ユニットの使用状態を示す斜視図、(ｂ)は実施形態４の感染制御ユニットの未使用状態を示す斜視図。
【図１０】(ａ)は図９の感染制御ユニットの使用状態のファンフィルタ動ユニットのＣ−Ｃ線断面図、(ｂ)は図９の感染制御ユニットのフードを閉じた不使用状態のファンフィルタ動ユニットのＣ−Ｃ線断面図。
【図１１】(ａ)は本発明に係る実施形態５の感染制御ユニットの使用状態を示す斜視図、(ｂ)は実施形態５の感染制御ユニットの未使用状態を示す斜視図。
【図１２】(ａ)は図１１に示す第１感染制御ブロックの使用状態の移動ユニットの側断面図、(ｂ)は図１１に示す第１感染制御ブロックのフードを閉じた不使用状態の移動ユニットの側断面図。
【発明を実施するための形態】
【００２５】
以下、本発明の実施形態について添付図面を参照して説明する。
＜＜実施形態１＞＞
図１(ａ)は、本発明に係る実施形態１の感染制御ユニットの使用状態を示す斜視摸式図であり、図１(ｂ)は、本発明に係る実施形態１の感染制御ユニットの未使用状態を示す斜視摸式図である。
【００２６】
実施形態１の感染制御ユニット１は、病院の待合室などで、患者間の咳やくしゃみなどに起因する飛沫感染を抑制する機器である。
感染制御ユニット１は、例えば、病院の待合室の長椅子Ｃ１などに適用される。つまり、感染制御ユニット１は既存の椅子に適用されて使用される機器である。
【００２７】
長椅子Ｃ１には、患者ｐ１、ｐ２が座っており、患者ｐ１、ｐ２の頭部ｐ１ａ、ｐ２ａを覆うように、感染制御ユニット１のフード３が降ろされ、使用される(図１の矢印β１参照)。
長椅子Ｃ１に座る患者ｐ１、ｐ２の頭部ｐ１ａ、ｐ２ａ付近には、室内の空気を吸い込む吸い込み口４ｓが感染制御ユニット１に設けられている。吸い込み口４ｓで吸い込まれた空気は、ダクト４を介してファンフィルタユニット５に吸引される(図２の矢印α１、α２参照)。なお、図２は、感染制御ユニットの使用状態を側方から見た図である。なお、図２では、両側端部に配置される縦支持棒２ｂ、２ｄを省略して示している。
【００２８】
ファンフィルタユニット５に吸引された空気は、感染制御ユニット１内のフィルタ５ａで雑菌、粉塵などが補集され、清浄な空気となって、ファンフィルタユニット５から吐き出される(図１(ａ)、図２の矢印α３参照)。
これにより、例えば、患者ｐ１の咳やくしゃみなどによる飛沫を含む空気がファンフィルタユニット５で清浄化され、患者ｐ２が飛沫を含む空気を吸い込まないで済む。同様に、患者ｐ２の咳やくしゃみなどによる飛沫を含む空気がファンフィルタユニット５で清浄化され、患者ｐ１が飛沫を含む空気を吸い込まないで済む。
【００２９】
＜感染制御ユニット１の構成＞
図１(ａ)に示すように、感染制御ユニット１は、機器全体を支持する支持部材のフレーム２を備えている。感染制御ユニット１のフレーム２には、患者ｐ１、ｐ２の頭部ｐ１ａ、ｐ２ａを少なくとも囲繞する(覆う)フード３と、患者ｐ１、ｐ２が発する飛沫を含む空気がフード３から流入して内部を流れるダクト４とが支持されている。ダクト４は、フレーム２とは独立したファンフィルタユニット５に接続されている。
【００３０】
＜フレーム２＞
フレーム２は、前後方向に延びる棒状部材の横脚２ａ１、２ａ２と、横脚２ａ１、２ａ２の略中央部から鉛直上方向に延びる縦支持棒２ｂ、２ｄと、縦支持棒２ｂ、２ｄに両横端部を支持される本体部２ｈとを有している。
【００３１】
一方の横脚２ａ１の前後の両端部には、フレーム２を移動させるためのキャスタ２ｃ１がそれぞれ設けられている。同様に、他方の横脚２ａ２の前後の両端部には、フレーム２を移動させるためのキャスタ２ｃ２がそれぞれ設けられている。キャスタ２ｃ１、２ｃ２により、フレーム２を移動させて、感染制御ユニット１を所望の位置で使用できる。
【００３２】
縦支持棒２ｂは、第１縦支持棒２ｂ１と第２縦支持棒２ｂ２とを有し、第１縦支持棒２ｂ１と第２縦支持棒２ｂ２との全体長さを変更できる構成である。
例えば、縦支持棒２ｂは、第１縦支持棒２ｂ１と第２縦支持棒２ｂ２とのうち何れか一方が他方に嵌合される構成であり、第１縦支持棒２ｂ１と第２縦支持棒２ｂ２とで形成される全体長さを調整後に、不図示の固定部材で固定される。
【００３３】
同様に、縦支持棒２ｄは、第１縦支持棒２ｄ１と第２縦支持棒２ｄ２とを有し、第１縦支持棒２ｄ１と第２縦支持棒２ｄ２との全体長さを変更できる構成である。
例えば、縦支持棒２ｄは、第１縦支持棒２ｄ１と第２縦支持棒２ｄ２とのうち何れか一方が他方に嵌合される構成であり、第１縦支持棒２ｄ１と第２縦支持棒２ｄ２とで形成される全体長さを調整後に、不図示の固定部材で固定される。
【００３４】
縦支持棒２ｂ、２ｄの長さが伸縮できることにより、本体部２ｈの高さが、座席や、大人、子供などの高さにより調整自在となっている。
縦支持棒２ｂ、２ｄの長さを調整するための機構は、他の構成も採用できることは勿論である。
【００３５】
本体部２ｈは、縦支持棒２ｂ、２ｄの上部に取着され支持されている。そして、本体部２ｈには、図１(ａ)、図１(ｂ)に示すように、フード３が回転自在に支持されている
【００３６】
＜フード３＞
フード３は、図１(ａ)に示すように、患者ｐ１、ｐ２の頭部ｐ１ａ、ｐ２ａを覆う第１の状態と、図１(ａ)の状態から引き上げられ、図１(ｂ)に示すように、患者ｐ１、ｐ２の頭部ｐ１ａ、ｐ２ａを開放する第２の状態とに回動できる構成である(図１(ａ)、(ｂ)の矢印β１，β２)。
【００３７】
フード３は、透明または半透明な材料で形成されており、患者ｐ１、ｐ２、…毎に画成されている。フード３が透明または半透明であることにより、図１(ａ)に示すように、患者ｐ１、ｐ２、…がフード３で囲われた際にも、周囲を目視することが可能であり、他者も患者ｐ１、ｐ２の様子を目視できる。
【００３８】
フード３は、一方側端縁を形成する平板状の第１側板３ａと、他方側端縁を形成する平板状の第２側板３ｂと、略部分円周面状の天板３ｃと、各人毎のスペースを仕切る平板状の仕切り板３ｄ１、３ｄ２、３ｄ３とを有している。
フード３は、透明な樹脂で全体を射出成形したり、或いは、部分的に射出成形し、融着などで互いに接合または結合して製作される。
【００３９】
或いは、第１側板３ａ、第２側板３ｂ、天板３ｃ、および仕切り板３ｄ１、３ｄ２、３ｄ３の結合部を金属フレームで製造し、当該金属フレームに第１側板３ａ、第２側板３ｂ、天板３ｃ、および仕切り板３ｄ１、３ｄ２、３ｄ３をそれぞれネジ止めなどで固定して構成してもよい。フード３は、患者ｐ１、ｐ２、…の頭部ｐ１ａ、ｐ２ａ、…を囲繞する働きをすればよいので、高い強度は不要であり、金属フレームは、薄い板厚のステンレス鋼板、アルミニウム板などが使用される。
【００４０】
フード３は、本体部２ｈに設けられる回転軸(図示せず)に回転自在に支持されている。
図２の実線に示すフード３が患者ｐ１、ｐ２、…の頭部ｐ１ａ、ｐ２ａ、…を囲繞する(覆う)使用状態(図１(ａ)参照)では、フード３の一部が不図示のストッパに当接して、使用状態の位置を保持している。
【００４１】
一方、図２の二点鎖線に示すフード３が患者ｐ１、ｐ２、…の頭部ｐ１ａ、ｐ２ａ、…を開放した未使用状態(図１(ｂ)参照)では、フード３の一部に保持部材(図示せず)が弾性的に係合し、フード３が未使用状態の位置に保持されている。例えば、フード３の一部に係合凹部を形成し、フード３の係合凹部に係合するように弾性力で付勢された凸状の保持部材(図示せず)が、本体部２ｈに構成されている。
【００４２】
フード３が、図１(ｂ)の未使用状態から位置を変更する場合には、凸状の保持部材(図示せず)を弾性的に引っ込ませ、フード３の係合凹部との係合を外す。なお、弾性力で付勢された凸状の保持部をフード３側に形成し、係合凹部を本体部２ｈ側に形成してもよい。
なお、フード３の上げ下げは、人力による手動としてもよいし、モータと減速機構を用いて自動で移動するように構成してもよい。
【００４３】
＜ダクト４＞
図１(ｂ)に示すように、フード３内の各人のスペースの略中央部の本体部２ｈには、患者ｐ１、ｐ２、…が発した飛沫を含む空気を吸い込む吸い込み口４ｓがそれぞれ形成されている。
【００４４】
各吸い込み口４ｓの後部には、それぞれ分岐ダクト４ａの一方端部が接続され、吸い込み口４ｓから流入した飛沫を含む空気が分岐ダクト４ａ内に流入する構成である。
各分岐ダクト４ａの他方端部は、集約ダクト４ｂに接続され、集約ダクト４ｂの他端部は、ファンフィルタユニット５に接続されている。このように、ダクト４は、各吸い込み口４ｓに接続される複数の分岐ダクト４ａと、複数の分岐ダクト４ａが接続される集約ダクト４ｂとを有し、構成されている。なお、集約ダクト４ｂの一端部は、吸い込み口４ｓに接続してもよいし、接続しなくてもよい。
【００４５】
この気流(風路)の構成により、飛沫を含む空気が、フード３内から、各吸い込み口４ｓを介して、各分岐ダクト４ａ、集約ダクト４ｂを流れ、ファンフィルタユニット５に流入する構成である。
なお、ダクト４は、金属、樹脂などを用いてリジットな構成としてもよいし、変形自在なフレキシブルダクトとしてもよい。
【００４６】
＜ファンフィルタユニット５＞
ファンフィルタユニット５は、図２に示すように、ウイルスや病原菌、カビなどを含む飛沫を捕集するＨＥＰＡフィルタや中性能フィルタなどのフィルタ５ａと、飛沫を含む空気を吸い込む気流を発生させるファン５ｂと、不図示の電源と、電源スイッチ５ｃとを備えている。
【００４７】
ダクト４の下流部は、ファンフィルタユニット５の吸い込み口５ｄに接続される。
ファンフィルタユニット５の電源スイッチ５ｃを“オン”することにより、ファン５ｂが稼動し、ダクト４を通じて、患者の飛沫などを含む汚れた空気が吸い込まれ、フィルタ５ａによって、ウイルスや病原菌、カビなどを含む飛沫が捕集され、清浄化された空気がファンフィルタユニット５の吐き出し口５ｅから吐き出される(図１(ａ)、図２の矢印α３参照)。
【００４８】
＜感染制御ユニット１の使用＞
次に、感染制御ユニット１の使用法について説明する。
感染制御ユニット１を使用しない場合には、ファンフィルタユニット５の電源スイッチ５ｃは、“オフ”されている。感染制御ユニット１の使用に際して、まず、ファンフィルタユニット５の電源スイッチ５ｃが“オン”される。
【００４９】
そして、図１(ａ)、図２に示すように、患者ｐ１，ｐ２が長椅子Ｃ１に座ると、フード３が手動または自動で降ろされ(矢印β１参照)、患者ｐ１，ｐ２の頭部ｐ１ａ，ｐ２ａがフード３で覆われる。
これにより、ファンフィルタユニット５のファン５ｂの稼動による吸い込み力により、フード３内の空気が、フード３内のスペースから、各吸い込み口４ｓ、各分岐ダクト４ａ、集約ダクト４ｂを流れ、ファンフィルタユニット５に吸い込まれる気流が形成される。
【００５０】
そのため、患者ｐ１，ｐ２がせき、くしゃみをした際のウイルスや病原菌、カビなどを含む飛沫を含む空気が、フード３内のスペースから、各吸い込み口４ｓ、各分岐ダクト４ａ、集約ダクト４ｂを流れ、ファンフィルタユニット５に吸い込まれる。そして、ファンフィルタユニット５内において、ウイルスや病原菌、カビなどを含む飛沫が、フィルタ５ａで捕集され、清浄化された空気が、ファンフィルタユニット５の吐き出し口５ｅから吐き出される(図１(ａ)、図２の矢印α３参照)。
【００５１】
そして、図１(ｂ)に示すように、患者ｐ１，ｐ２がいなくなると、フード３が上げられるとともに、ファンフィルタユニット５の電源スイッチ５ｃが“オフ”され、ファンフィルタユニット５の稼動が停止される。
【００５２】
上記構成によれば、医療機関の待合室などで、フード３内の気流で長椅子Ｃ１に座った患者ｐ１，ｐ２からの飛沫を捕集するので、患者ｐ１，ｐ２が発する飛沫による感染を未然に防止または抑制できる。また、室内空気を清浄化できる。
さらに、感染制御ユニット１を、待合室などの長椅子Ｃ１に被せるような形状を採用することで、トータルの重量を抑えることができる。
【００５３】
また、同時に複数人を隔離する構成なので、一人を隔離するためのスペースが小さく済み、コストを抑えることができる。
従って、確実に飛沫を捕集でき飛沫感染を防げ、かつ、隔離する人間一人当たりの重量が軽く、低コストで長期の使用が可能な感染制御ユニット１を実現できる。
なお、フード３は、４人用の場合を例示したが、上述の感染制御ユニット１の構成を適用し、何人用にするかは適宜選択できるのは勿論である。
【００５４】
＜実施形態１の変形例１＞
図３(ａ)は、実施形態１の変形例１の感染制御ユニットの使用状態を示す斜視摸式図であり、図３(ｂ)は、本発明に係る実施形態１の変形例１の感染制御ユニットの未使用状態を示す斜視摸式図である。
実施形態１の変形例１の感染制御ユニット１Ａは、フード３ｆａを実施形態１のフード３と異なり、折り畳み自在な構成としたものである
その他の構成は、実施形態１と同様であるから、同様な構成要素には、同一の符号を付して示し、詳細な説明は省略する。
【００５５】
変形例１の感染制御ユニット１Ａのフード３ｆａは、図３(ｂ)に示すように、未使用時には折り畳んで収納され、使用時には、図３(ａ)に示すように、長椅子Ｃ１に座る患者ｐ１、ｐ２の頭部ｐ１ａ、ｐ２ａを覆う空間ができるように、降ろして使用される。
【００５６】
フード３ｆａは、フレーム２の本体部２ｈに開閉自在に取り付けられている。
フード３ｆａは、本体部２ｈに回転自在に取り付けられる骨部材３ｃ(３ｃ１、３ｃ２、３ｃ３、３ｃ４)と、骨部材３ｃに留められ布やシートのように柔軟性のあるシート部材３ａ１と、同じく柔軟性があり、ユーザ間を仕切る仕切りシート部材３ｓ１とを有している。
【００５７】
各骨部材３ｃは、フレーム２の方向に開口を有する略コの字状に形成され、端部がフレーム２の本体部２ｈに回転自在に軸支持されている。
各骨部材３ｃは、シート部材３ａ１を支持する強度が必要なことから、ステンレスなどの金属の細い棒状の部材で形成される。なお、骨部材３ｃ１〜３ｃ４は、所定の強度が確保できれば、樹脂などのその他の材料で形成してもよい。
【００５８】
シート部材３ａ１、仕切りシート部材３ｓ１は、柔軟性があるビニール、薄い樹脂などで製作される透明または半透明なシート状の部材である。
図３(ｂ)に示すように、フード３ｆａが未使用状態であり、畳まれた際には、畳まれた状態でフード３ｆａを保持する保持部材(図示せず)が、フレーム２の本体部２ｈに設けられている。例えば、保持部材は、Ｌ字状などの畳まれた状態(未使用状態)のフード３ｆａを保持する形状を有し、弾性材で付勢される。そして、フード３ｆａが使用または未使用に移行する際には、フード３ｆａを解除またはホールド(保持)するよう移動自在に構成されている。なお、保持部材を、フード３ｆａの未使用時や使用時に、ロック部材で所定位置に固着するように構成してもよい。
【００５９】
上述の構成により、変形例１の感染制御ユニット１Ａは、未使用時には、図３(ｂ)に示すように、フレーム２の本体部２ｈに密着するように折り畳まれ、保持部材で保持される。感染制御ユニット１Ａの使用時には、図３(ａ)に示すように、感染制御ユニット１Ａのフード３ｆａは、保持部材が外され(解除され)、患者ｐ１、ｐ２の頭部ｐ１ａ、ｐ２ａを覆うように降ろされる。
【００６０】
なお、骨部材３ｃ(３ｃ１、３ｃ２、３ｃ３、３ｃ４)を、モータの回転力でそれぞれ減速して移動させ、フード３ｆａの折り畳んだ未使用状態(図３(ｂ)参照)と広げた使用状態(図３(ａ)参照)とに電動で動かすように構成してもよい。この場合、各骨部材３ｃ(３ｃ１、３ｃ２、３ｃ３、３ｃ４)のそれぞれの軸支持部に歯数の異なるギア部をそれぞれ形成し、モータからの減速比を変えることで、フード３ｆａを折り畳む未使用動作とフード３ｆａを広げる使用動作の各骨部材３ｃの同期をとることができる。
【００６１】
変形例１の感染制御ユニット１Ａによれば、フード３ｆａの未使用時には、図３(ｂ)に示すように、折り畳まれるので、フード３ｆａが外方へ突出しない。そのため、未使用時の取り扱い性、使用性に優れる。
また、実施形態１の作用効果は同様に奏する。
なお、フード３ｆａは、４人用の場合を例示したが、上記感染制御ユニット１Ａの構成を適用して、何人用にするかは適宜選択できる。
【００６２】
＜実施形態１の変形例２＞
図４(ａ)は、実施形態１の変形例２の感染制御ユニットの未使用状態を示す斜視摸式図であり、図４(ｂ)は、実施形態１の変形例２の感染制御ユニットの使用状態を示す斜視摸式図である。
【００６３】
図５(ａ)は、実施形態１の変形例２の感染制御ユニットのフードを閉じた状態を側方から見た側面図であり、図５(ｂ)は、実施形態１の変形例２の感染制御ユニットのフードを開いた状態を側方から見た側面図である。
【００６４】
実施形態１の変形例２の感染制御ユニット１Ｂは、フード３ｆｂを実施形態１のフード３と異なり、変形例１と同じ折り畳み自在な構成とし、骨部材３ｈ１、３ｈ２を、２本で構成したものである。
その他の構成は、実施形態１と同様であるから、同様な構成要素には、同一の符号を付して示し、詳細な説明は省略する。
【００６５】
変形例２の感染制御ユニット１Ｂのフード３ｆｂは、図４(ａ)に示すように、未使用時には折り畳んで収納され、使用時には、図４(ｂ)に示すように、長椅子Ｃ１に座る患者ｐ１、ｐ２の頭部ｐ１ａ、ｐ２ａをそれぞれ覆って降ろして使用される。
【００６６】
フード３ｆｂは、フレーム２の本体部２ｈに開閉自在に取り付けられている。
フード３ｆｂは、本体部２ｈに回転自在に支持される骨部材３ｈ１、３ｈ２と、端部を骨部材３ｈ１で留められ、央部を骨部材３ｈ２で留められる柔軟性があるシート部材３ｂ１と、同じく柔軟性があり、ユーザ間を仕切る仕切りシート部材３ｓ２とを有している。
【００６７】
シート部材３ｂ１、仕切りシート部材３ｓ２は、柔軟性があるビニール、薄い樹脂などで製作される透明または半透明なシート状の部材である。
骨部材３ｈ１、３ｈ２は、フレーム２の方向に開口を有する略コの字状に形成され、略コの字状の端部がフレーム２の本体部２ｈに回転自在に軸支持されている。
【００６８】
図５(ａ)は、実施形態１の変形例２の感染制御ユニットのフードを閉じた状態を側方から見た側面図であり、図５(ｂ)は、実施形態１の変形例２の感染制御ユニットのフードを開いた状態を側方から見た側面図である。
【００６９】
図５(ｂ)に示すように、骨部材３ｈ２は、骨部材３ｈ１より長く形成されている。これにより、骨部材３ｈ２で骨部材３ｈ１よりシート部材３ｂ１を大きく広げ、骨部材３ｈ２で患者ｐ１、ｐ２の頭部ｐ１ａ、ｐ２ａを囲繞する(覆う)空間を大きく確保できる。また、骨部材３ｈ１で形成されるフード３ｆｂの入り口の空間より骨部材３ｈ２で形成されるフード３ｆｂの央部の空間が広いため、フード３ｆｂ内の空気を滞留し易くできる。
また、骨部材３ｈ２でシート部材３ｂ１を大きく広げるため、患者ｐ１、ｐ２がフード３ｆｂによって狭苦しさを感じることを抑制できる。
【００７０】
骨部材３ｈ１、３ｈ２は、シート部材３ｂ１を支持する強度が必要なことから、ステンレスなどの金属の細い棒状の部材で形成される。なお、骨部材３ｈ１、３ｈ２は、所定の強度が確保できれば、樹脂などのその他の材料で形成してもよい。なお、骨部材３ｈ１、３ｈ２は、変形例１に比べ数が少ないことから、より大きな荷重(主に曲げ荷重)が加わるので、横断面を略Ｌ字状、略Ｈ字状の形状として断面係数を上げ、曲げ荷重に強い構成とすることが好ましい。
【００７１】
加えて、骨部材３ｈ２を、骨部材３ｈ１より長い構成としたので、図５(ａ)に示すように、フード３ｆｂを折り畳んだ場合、骨部材３ｈ１を骨部材３ｈ２の内部に収納でき、かさばることなく薄く収納できる。そのため、感染制御ユニット１Ｂを使用しない場合にも、使い勝手がよい。
【００７２】
また、フード３ｆｂが、図４(ａ)に示すように、未使用状態で畳まれた際には、畳まれた状態でフード３ｆｂを保持する変形例１と同様な保持部材が、フレーム２の本体部２ｈに設けられている。変形例１と同様に、保持部材を、フード３ｆｂの未使用時や使用時に、ロック部材で所定位置に固着するように構成してもよい。
【００７３】
上述の構成により、変形例２の感染制御ユニット１Ｂは、未使用時には、図４(ａ)に示すように、フレーム２の本体部２ｈに密着するように折り畳まれ、保持部材で保持される。感染制御ユニット１Ｂの使用時には、図４(ｂ)に示すように、感染制御ユニット１Ｂのフード２３は、保持部材が外され、患者ｐ１、ｐ２の頭部ｐ１ａ、ｐ２ａを覆うように降ろされる。
なお、骨部材３ｈ１、３ｈ２を、変形例１の骨部材３ｃと同様に、不図示のモータの駆動により稼動させる構成としてもよいし、手動としてもよい。
【００７４】
変形例２の感染制御ユニット１Ｂによれば、図５(ｂ)に示すように、骨部材３ｈ２を骨部材３ｈ１より長くすることで、骨部材３ｈ２でシート部材３ｂ１を大きく広げ、フード３ｆｂを降ろした際のフード３ｆｂ内スペース(空間)を広く確保できる。そのため、２本の骨部材３ｈ１、３ｈ２でフード３ｆｂを構成できる。
このように、骨部材３ｈ１、３ｈ２を２本で構成できるので、材料コストが低減され、組み立てが容易となり組み立てコストが低減される。そのため、製造コストを削減できる。
【００７５】
加えて、フード３ｆｂで覆われる空間を央部を広く下部を狭くでき、フード３ｆｂ内の空気を、フード３ｆｂ内のスペースに滞留させ、好適に吸い込み口４ｓに導くことができる。
【００７６】
また、骨部材３ｈ２を、骨部材３ｈ１より長くすることで、フード３ｆｂを折り畳んだ際に、骨部材３ｈ２の内方に骨部材３ｈ１を配置でき、フード３ｆｂを薄く収納できる。そのため、フード３ｆｂの未使用時、フード３ｆｂがかさばらず、使い勝手がよい。従って、取り扱い性および使用性に優れる。
また、実施形態１の作用効果は同様に奏する。
【００７７】
なお、フード３ｆｂは、４人用の場合を例示したが、何人用にするかは適宜選択できるのは勿論である。
【００７８】
＜＜実施形態２＞＞
図６(ａ)は、本発明に係る実施形態２の感染制御ユニット２１の使用状態を示す斜視図であり、図６(ｂ)は、実施形態２の感染制御ユニット２１の未使用状態を示す斜視図である。
【００７９】
実施形態２の感染制御ユニット２１は、実施形態１の感染制御ユニット１のフード３を、各人別に上げ下げすることが可能なフード２３としたものである。その他の構成は、実施形態１と同様であるから、同様な構成要素には、同一の符号を付して示し、詳細な説明は省略する。
【００８０】
感染制御ユニット２１の本体部２ｈに、フード２３が、上・下位置に回動自在に支持されている。
感染制御ユニット２１の本体部２ｈには、フード２３が感染制御ユニット２１の未使用状態である上位置(図６(ｂ)参照)に設定された際に、フード２３を未使用状態の上位置に保持する不図示のホールド部材が設けられている。例えば、ホールド部材は、本体部２ｈに回転自在に設け、上位置に持ち上げられたフード２３を弾性力で保持する。或いは、本体部２ｈとフード２３の一部とにキー溝を形成し、キーを本体部２ｈとフード２３とに挿通し、フード２３を本体部２ｈに固定する構成としてもよい。
【００８１】
フード２３は、一方側端縁を形成する平板状の第１側板２３ａと、他方側端縁を形成する平板状の第２側板２３ｂと、略部分円周面状で分割された天板２３ｅｉ、２３ｆｉ、２３ｇｉ、２３ｈｉ(ｉ＝１、２、３)と、各人毎のスペースを仕切る平板状の仕切り板２３ｄ１、２３ｄ２、２３ｄ３とを有している。
【００８２】
図７(ａ)は、図６(ａ)のＡ−Ａ断面図であり、図７(ｂ)は、図６(ａ)のＢ−Ｂ断面図である。
天板２３ｅ１、２３ｅ２、２３ｅ３は、それぞれ略同一の延在面積を有しており、天板２３ｅ３は固定されており、天板２３ｅ１、天板２３ｅ２は、それぞれスライド自在な構成である。天板２３ｅ１、天板２３ｅ２は、使用時には、図６(ａ)のように、長椅子に座る患者ｐ１の頭部ｐ１ａを覆うように移動し、未使用時には、図６(ａ)の天板２３ｆ１、２３ｆ２、２３ｇ１、２３ｇ２のように、天板２３ｅ３の下方にスライドして収納される。
【００８３】
同様に、天板２３ｆ１、２３ｆ２、２３ｆ３は、それぞれ略同一の延在面積を有しており、天板２３ｆ３は固定されており、天板２３ｆ１、２３ｆ２は、それぞれスライド自在な構成である。天板２３ｆ１、天板２３ｆ２は、使用時には、図６(ａ)の天板２３ｅ１、２３ｅ２のように、長椅子Ｃ１に座る患者の頭部を覆うように移動し、未使用時には、図６(ａ)の天板２３ｆ１、２３ｆ２のように、天板２３ｆ３の下方にスライドして収納される。
【００８４】
天板２３ｇｉ(ｉ＝１、２、３)、天板２３ｈｉは、それぞれ天板２３ｅｉ、天板２３ｆｉと同様な構成である。
上記天板２３ｅｊ、２３ｆｊ、２３ｇｊ、２３ｈｊ(ｊ＝１、２)を実現するため、フード２３にはスライドレールｒ１〜ｒ６が設けられている。
つまり、フード２３には、図７(ａ)に示すように、天板２３ｅ１、天板２３ｅ２の各一方側端縁部が溝部ｒ１ａ、ｒ１ｂにそれぞれ嵌合してスライドするスライドレールｒ１が設けられている。
【００８５】
また、図７(ｂ)に示すように、天板２３ｅ１、天板２３ｅ２の各他方側端縁部が溝部ｒ２ａ、ｒ２ｂにそれぞれ嵌合してスライドするとともに、天板２３ｆ１、天板２３ｆ２の各一方側端縁部が溝部ｒ２ｃ、ｒ２ｄにそれぞれ嵌合してスライドするスライドレールｒ２とが設けられている。
【００８６】
同様に、フード２３には、図６(ａ)に示すように、天板２３ｆ１、天板２３ｆ２の各他方側端縁部および天板２３ｇ１、天板２３ｇ２の各一方側端縁部が溝部にそれぞれ嵌合してスライドするスライドレールｒ３と、天板２３ｇ１、天板２３ｇ２の各他方側端縁部および天板２３ｈ１、天板２３ｈ２の各一方側端縁部が溝部にそれぞれ嵌合してスライドするスライドレールｒ４とが設けられている。
同様に、フード２３には、天板２３ｈ１、天板２３ｈ２の各他方側端縁部が溝部にそれぞれ嵌合してスライドするスライドレールｒ５が設けられている。
【００８７】
＜天板２３ｅ１、２３ｅ２、２３ｅ３＞
天板２３ｅ３は、側部を一方側端縁の第１側板２３ａと仕切り板２３ｄ１とに固定されている。
上記構成により、天板２３ｅ１は、図７(ａ)に示すように、その一方側端縁部がスライドレールｒ１のレール溝ｒ１ａに嵌合するとともに、図７(ｂ)に示すように、その他方側端縁部がスライドレールｒ２のレール溝ｒ２ａに嵌合してスライドする。
【００８８】
天板２３ｅ２は、図７(ａ)に示すように、天板２３ｅ２の一方側端縁部がスライドレールｒ１のレール溝ｒ１ｂに嵌合するとともに、図７(ｂ)に示すように、天板２３ｅ２の他方側端縁部がスライドレールｒ２のレール溝ｒ２ｂに嵌合してスライドする。
また、天板２３ｅ１と天板２３ｅ２とには、両者の移動を連動させる不図示の係合部(例えば、凹部と凸部や、弾性的に係合または解除される係合機構など)が設けられている。
【００８９】
天板２３ｅ１の前端部には、天板２３ｅ１、２３ｅ２を移動させるための取っ手ｔ１が設けられている。
ユーザ(例えば、患者ｐ１)は、取っ手ｔ１を把持して、天板２３ｅ１を下方に移動させることで天板２３ｅ２が連動し、図６(ａ)に示すように、天板２３ｅ１、２３ｅ２を下方に移動させ、ユーザ(例えば、患者ｐ１)の頭部ｐ１ａを覆い、使用状態とすることができる。
【００９０】
或いは、ユーザ(例えば、患者ｐ１)は、取っ手ｔ１を把持して、天板２３ｅ１を上方に移動させることで天板２３ｅ２が連動し、図６(ａ)の天板２３ｆ１、２３ｆ２のように、天板２３ｅ１、２３ｅ２を上方に移動させて天板２３ｅ３の下方に収納し、ユーザ(例えば、患者ｐ１)の頭部ｐ１ａを開放し、未使用状態とすることができる。
なお、天板２３ｅ１〜２３ｅ３のスライドする間は隙間を狭くするか或いは、飛沫をシールする構成を適用することが好ましい。下記の天板２３ｆ１〜２３ｆ３、天板２３ｇ１〜２３ｇ３、天板２３ｈ１〜２３ｈ３のそれぞれの間も同様である。
【００９１】
＜天板２３ｆ１、２３ｆ２、２３ｆ３＞
同様に、天板２３ｆ３は、側部を仕切り板２３ｄ１と仕切り板２３ｄ２とに固定されている。
天板２３ｆ１は、図７(ｂ)に示すように、その一方側端縁部がスライドレールｒ２のレール溝ｒ２ｃに嵌合するとともに、その他方側端縁部がスライドレールｒ３の不図示のレール溝に嵌合してスライドする。天板２３ｆ２は、図７(ｂ)に示すように、天板２３ｆ２の一方側端縁部がスライドレールｒ２のレール溝ｒ２ｄに嵌合するとともに、天板２３ｆ２の他方側端縁部がスライドレールｒ３の不図示のレール溝に嵌合してスライドする。
【００９２】
また、天板２３ｆ１と天板２３ｆ２とには、両者の移動を連動させる不図示の係合部(例えば、凹部と凸部や、弾性的に係合または解除される係合機構など)が設けられている。
天板２３ｆ１の前端部には、天板２３ｆ１、２３ｆ２を移動させるための取っ手ｔ２が設けられている。
【００９３】
ユーザは、取っ手ｔ２を把持して、天板２３ｆ１を下方に移動させることで天板２３ｆ２が連動し、天板２３ｆ１、２３ｆ２を下方に移動させ、ユーザの頭部を覆い、使用状態とすることができる構成である。
或いは、ユーザは、取っ手ｔ２を把持して、天板２３ｆ１を上方に移動させることで天板２３ｆ２が連動し、天板２３ｆ１、２３ｆ２を上方に移動させて天板２３ｆ３の下方に収納し、ユーザの頭部を開放し、図６(ａ)の未使用状態とすることができる構成である。
【００９４】
＜天板２３ｇ１、２３ｇ２、２３ｇ３＞
同様に、天板２３ｇ３は、両側部をそれぞれ仕切り板２３ｄ２と仕切り板２３ｄ３とに固定されている。
天板２３ｇ１は、その一方側端縁部がスライドレールｒ３の不図示のレール溝に嵌合するとともに、その他方側端縁部がスライドレールｒ４の不図示のレール溝に嵌合してスライドする。天板２３ｇ２は、天板２３ｇ２の一方側端縁部がスライドレールｒ３の不図示のレール溝に嵌合するとともに、天板２３ｇ２の他方側端縁部がスライドレールｒ４の不図示のレール溝に嵌合してスライドする。
【００９５】
また、天板２３ｇ１と天板２３ｇ２とには、両者の移動を連動させる不図示の係合部(例えば、凹部と凸部や、弾性的に係合または解除される係合機構など)が設けられている。
天板２３ｇ１の前端部には、天板２３ｇ１、２３ｇ２を移動させるための取っ手ｔ３が設けられている。
【００９６】
ユーザ(例えば、患者ｐ２)は、取っ手ｔ３を把持して、天板２３ｇ１を下方に移動させることで天板２３ｇ２が連動し、図６(ａ)に示すように、天板２３ｇ１、２３ｇ２を下方に移動させ、ユーザ(例えば、患者ｐ２)の頭部(頭部ｐ２ａ)を覆い、使用状態とすることができる構成である。
【００９７】
或いは、ユーザ(例えば、患者ｐ２)は、取っ手ｔ３を把持して、天板２３ｇ１を上方に移動させることで天板２３ｇ２が連動し、天板２３ｇ１、２３ｇ２を上方に移動させて天板２３ｇ３の下方に収納し、ユーザの頭部(例えば、患者ｐ２の頭部ｐ２ａ)を開放し、未使用状態とすることができる構成である。
【００９８】
＜天板２３ｈ１、２３ｈ２、２３ｈ３＞
同様に、天板２３ｈ３は、両側部をそれぞれ仕切り板２３ｄ３と第２側板２３ｂとに固定されている。
天板２３ｈ１は、その一方側端縁部がスライドレールｒ４の不図示のレール溝に嵌合するとともに、その他方側端縁部がスライドレールｒ５の不図示のレール溝に嵌合してスライドする。
【００９９】
天板２３ｈ２は、その一方側端縁部がスライドレールｒ４の不図示のレール溝に嵌合するとともに、その他方側端縁部がスライドレールｒ５の不図示のレール溝に嵌合してスライドする。
また、天板２３ｈ１と天板２３ｈ２とには、両者の移動を連動させる不図示の係合部(例えば、凹部と凸部や、弾性的に係合または解除される係合機構など)が設けられている。
【０１００】
天板２３ｈ１の前端部には、天板２３ｈ１、２３ｈ２を移動させるための取っ手ｔ４が設けられている。
ユーザは、取っ手ｔ４を把持して、天板２３ｈ１を下方に移動させることで天板２３ｈ２が連動し、天板２３ｇ１、２３ｇ２を下方に移動させ、ユーザの頭部を覆い、使用状態とすることができる構成である。
或いは、ユーザは、取っ手ｔ４を把持して、天板２３ｈ１を上方に移動させることで天板２３ｈ２が連動し、天板２３ｈ１、２３ｈ２を上方に移動させて天板２３ｈ３の下方に収納し、ユーザの頭部を開放し、図６(ａ)の未使用状態とすることができる構成である。
【０１０１】
＜感染制御ユニット２１の使用法＞
感染制御ユニット２１は、未使用時には、図６(ｂ)に示すように、フード２３全体が上げられ不図示のホールド部材などで、上方の未使用位置に保持される。
感染制御ユニット２１の使用時には、例えば、病院の管理員により、ファンフィルタユニット５の電源スイッチ５ｃが“オン”され、ファンフィルタユニット５が稼働される。そして、図６(ａ)に示すように、例えば、病院の管理員によって、フード２３全体が下げられる。
【０１０２】
これにより、ファンフィルタユニット５のファン５ｂの稼動により、フード２３内の空気が、各吸い込み口４ｓから吸い込まれ、各分岐ダクト４ａ、集約ダクト４ｂを流れ、ファンフィルタユニット５に吸い込まれる。ファンフィルタユニット５内において、ウイルスや病原菌、カビなどを含む飛沫が、フィルタ５ａで捕集され、清浄化された空気が、ファンフィルタユニット５の吐き出し口５ｅから吐き出される(図２の矢印α３参照)。
【０１０３】
そして、患者ｐ１が感染制御ユニット２１を使用したい場合には、天板２３ｅ１の取っ手ｔ１を把持して、天板２３ｅ１、２３ｅ２を上げて、長椅子Ｃ１に座る。そして、天板２３ｅ１の取っ手ｔ１を把持して、図６(ａ)に示すように、天板２３ｅ１、２３ｅ２を下げて、感染制御ユニット２１を使用する。
【０１０４】
これにより、患者ｐ１が咳やくしゃみをした場合には、飛沫を含む空気が、吸い込み口４ｓ、分岐ダクト４ａ、集約ダクト４ｂを介して流れ、ファンフィルタユニット５に吸い込まれ、ファンフィルタユニット５のフィルタ５ａによってウイルスや病原菌、カビなどを含む飛沫が捕集され、清浄化された空気が吐き出し口５ｅから吐き出される(図２の矢印α３参照)。また、患者ｐ１は、フード２３の天板２３ｅ１、２３ｅ２、２３ｅ３と第１側板２３ａと仕切り板２３ｄ１とに覆われているので、他者(例えば、患者ｐ２)からの飛沫感染を予防できる。
【０１０５】
一方、患者ｐ１が感染制御ユニット２１を使用したくない場合には、天板２３ｅ１の取っ手ｔ１を把持して、天板２３ｅ１、２３ｅ２を上げて天板２３ｅ３の下に収納した状態で、長椅子Ｃ１に座ればよい。
患者ｐ２も、患者ｐ１と同様にして、長椅子Ｃ１に座り、天板２３ｇ１の取っ手ｔ３を把持して、フード２３の天板２３ｇ１、２３ｇ２を上げ下げして、感染制御ユニット２１の使用、未使用を選択することができる。
【０１０６】
実施形態２の感染制御ユニット２１によれば、感染制御ユニット２１を使用しないときは、図６(ｂ)に示すように、フード２３全体を上げることができるため、長椅子Ｃ１の使用に際して、感染制御ユニット２１を意識しないで済み、使い勝手がよい。
また、感染制御ユニット２１の使用時には、図６(ａ)に示すように、フード２３を下げる。そして、天板２３ｅ１、２３ｅ２と、天板２３ｆ１、２３ｆ２と、天板２３ｇ１、２３ｇ２と、天板２３ｈ１、２３ｈとをスライドさせて上げ下げ自在であるので、ユーザ各人が感染制御ユニット２１を使用するかしないかを選択できる。
【０１０７】
さらに、患者ｐ１と患者ｐ２とが個別に長椅子Ｃ１に着席して感染制御ユニット２１を使用するまたは使用しない場合にも、天板２３ｅ１、２３ｅ２と天板２３ｇ１、２３ｇ２とが独立しているので、他者に影響を及ぼさないで済む。
なお、実施形態２においても実施形態１の作用効果は同様に奏する。
【０１０８】
なお、フード２３は、４人用の場合を例示したが、何人用にするかは適宜選択できるのは勿論である。
【０１０９】
＜＜実施形態３＞＞
図８(ａ)は、本発明に係る実施形態３の感染制御ユニット３１の使用状態を示す斜視図であり、図８(ｂ)は、実施形態３の感染制御ユニット３１の未使用状態を示す斜視図である。
実施形態３の感染制御ユニット３１は、実施形態１の感染制御ユニット１のフード３を、各人別に上げ下げできるような独立したフード３３Ａ、３３Ｂ、３３Ｃ、３３Ｄとしたものである。その他の構成は、実施形態１と同様であるから、同様な構成要素には、同一の符号を付して示し、詳細な説明は省略する。
【０１１０】
感染制御ユニット３１のフード３３Ａは、平板状の右側板３３Ａ１と平板状の左側板３３Ａ２と部分円筒状の天板３３Ａ３とを有している。
フード３３Ａの右側板３３Ａ１の上後部には、軸支持部３３Ａ４が外方に突出して形成されている。軸支持部３３Ａ４の中央には、軸支持孔３３Ａ５が開口されている。
【０１１１】
フード３３Ａの左側板３３Ａ２の上後部には、軸支持部３３Ａ６が外方に突出して形成されている。軸支持部３３Ａ６の中央には、軸支持孔３３Ａ７が開口されている。
そして、フード３３Ａは、右側板３３Ａ１と天板３３Ａ３とが連結するとともに、左側板３３Ａ２と天板３３Ａ３とが連結して形成されている。
【０１１２】
フード３３Ａは、アクリルなどの透明な樹脂で全体を射出成形したり、或いは、部分的に射出成形し、融着などで互いに接合または結合されている。
フード３３Ａは、軸支持孔３３Ａ５、３３Ａ７に不図示の軸部材が挿通され、フレーム２の本体部２ｈに回転自在に軸支持されている。
その他のフード３３Ｂ、３３Ｃ、３３Ｄは、フード３３Ａと同様な構成である。
【０１１３】
ここで、軸部材は、フード３３Ａ、３３Ｂ、３３Ｃ、３３Ｄをそれぞれ個別に支持するように構成してもよいし、フード３３Ａ、３３Ｂ、３３Ｃ、３３Ｄを共通に支持するように構成してもよい。
フード３３Ａは、図８(ａ)に示すように、使用状態の降ろした状態では、フード３３Ａの一部が本体部２ｈに当接している。或いは、フード３３Ａが本体部２ｈの不図示の使用係合部材に係合され固着されている。
【０１１４】
一方、フード３３Ａは、図８(ｂ)に示す未使用状態の上げた状態では、フード３３Ａの一部が本体部２ｈの不図示の未使用係合部材に係合され固着され、上げた状態が維持されている。
フード３３Ｂ、３３Ｃ、３３Ｄも、フード３３Ａと同様であるから、詳細な説明は省略する。
以上の構成により、感染制御ユニット３１は、図８(ａ)、(ｂ)に示すように、各フード３３Ａ、３３Ｂ、３３Ｃ、３３Ｄは、個別に上げ下げできる構成である。
【０１１５】
次に、感染制御ユニット３１の使用方法について説明する。
図８(ｂ)に示すように、感染制御ユニット３１は、未使用状態においては、各フード３３Ａ、３３Ｂ、３３Ｃ、３３Ｄを上方に位置させておく。これにより、患者ｐ１、ｐ２、……が感染制御ユニット３１を使用しない場合には、フード３３Ａ、３３Ｂ、３３Ｃ、３３Ｄを上方に位置しているので、患者ｐ１、ｐ２、……が長椅子Ｃ１を使用する際に邪魔にならない。つまり、感染制御ユニット３１が長椅子Ｃ１にセットされない体感を得ることができる。
【０１１６】
一方、感染制御ユニット３１の使用の開始に際しては、ファンフィルタユニットの電源を“オン”する。これにより、吸い込み口４ｓからファンフィルタユニットに至る気流が形成され、ファンフィルタユニットから清浄にされた空気が吐き出される。
【０１１７】
そして、ユーザ(患者ｐ１)が、感染制御ユニット３１を使用する場合には、フード３３Ａを降ろす。同様に、ユーザ(患者ｐ２)が、感染制御ユニット３１を使用する場合には、フード３３Ｃを降ろす。
これにより、ユーザ(患者ｐ１、ｐ２、……)は自身の飛沫を含んだ空気がファンフィルタユニットで清浄化され、他者に影響を及ぼすことを抑制できる。また、患者ｐ１、ｐ２、……は、他者からの飛沫感染を抑制することができる。
【０１１８】
実施形態３の感染制御ユニット３１によれば、フード３３Ａ、３３Ｂ、３３Ｃ、３３Ｄは、個別に上げ下げできるので、ユーザ(患者ｐ１、ｐ２、……)が自身の意思でフード３３Ａ、３３Ｂ、３３Ｃ、３３Ｄを使用するかしないかを選択できる。
【０１１９】
また、ユーザ(患者ｐ１、ｐ２、……)が着席して、感染制御ユニット３１を使用するには、自身の席のフード３３Ａ、３３Ｂ、３３Ｃ、３３Ｄの何れかを下げて使用することができるので、他者に影響を及ぼさない。逆に、ユーザ(患者ｐ１、ｐ２、……)が離席する場合に、自身の使用しているフード３３Ａ、３３Ｂ、３３Ｃ、３３Ｄの何れかを上げて離席できるので、離席する際、他者に影響を及ぼさないで済む。
なお、実施形態１の作用効果は同様に奏する。
【０１２０】
また、一つの感染制御ユニット３１で、複数人のユーザが独立して使用できるので、使い勝手がよい。
なお、フード３３Ａ、３３Ｂ、３３Ｃ、３３Ｄは、実施形態１と同様に、モータと減速機構を用いて自動で移動するように構成してもよい。
また、フード３３Ａ、３３Ｂ、３３Ｃ、３３Ｄは、４人用の場合を例示したが、何人用にするかは適宜選択できるのは勿論である。
【０１２１】
＜＜実施形態４＞＞
図９(ａ)は、本発明に係る実施形態４の感染制御ユニットの使用状態を示す斜視図であり、図９(ｂ)は、実施形態４の感染制御ユニットの未使用状態を示す斜視図である。
実施形態４の感染制御ユニット４１は、実施形態１の感染制御ユニット１のフード３を、各人別に上げ下げできるようなフード４３Ａ、４３Ｂとし、実施形態１のファンフィルタユニット５を、各フード４３Ａ、４３Ｂ毎にそれぞれ独立したファンフィルタ動ユニット４５Ａ、４５Ｂとしたものである。また、フード４３Ａおよびこれに対応するファンフィルタ動ユニット４５Ａと、フード４３Ｂおよびこれに対応するファンフィルタ動ユニット４５Ｂとは、椅子Ｃ１、Ｃ２の位置に合わせて移動自在の構成である。
これ以外の構成は、実施形態１と同様であるから、同一の構成要素には同一の符号を付して示し、詳細な説明は省略する。
【０１２２】
図１０(ａ)は、図９の感染制御ユニットの使用状態のファンフィルタ動ユニットのＣ−Ｃ線断面図であり、図１０(ｂ)は、図９の感染制御ユニットのフードを閉じた不使用状態のファンフィルタ動ユニットのＣ−Ｃ線断面図である。
折り畳み自在なフード４３Ａとこれに対応するファンフィルタ動ユニット４５Ａとで、第１感染制御ブロック４１Ａが構成される。
第１感染制御ブロック４１Ａの電源は、商用電源から供給してもよいし、蓄電池としてもよい。
【０１２３】
ファンフィルタ動ユニット４５Ａは、フード４３Ａ内の空気を吸い込む吸い込み口４５Ａ１と、フード４３Ａ内の空気を吸い込んで吐き出すファン４５Ａ２と、吸い込まれた空気中のウイルスや病原菌、カビなどを含む飛沫が捕集され清浄化するフィルタ４５Ａ３と、不図示の電源スイッチとを有している。
第１感染制御ブロック４１Ａは、フレーム２の下フレーム２ｓと上フレーム２ｕとに移動自在に取り付けられる。
【０１２４】
そのため、第１感染制御ブロック４１Ａの下側には、ローラ４１ｒを有する下被案内部４１ｓ１が形成され、第１感染制御ブロック４１Ａの上側には、上被案内部４１ｓ２が形成されている。
【０１２５】
一方、フレーム２の下フレーム２ｓには、第１感染制御ブロック４１Ａの下側の下被案内部４１ｓ１が嵌合され案内される凹状の下案内溝２ｓ１が形成されている。また、フレーム２の上フレーム２ｕには、第１感染制御ブロック４１Ａの上側の上被案内部４１ｓ２が嵌合され案内される凹状の上案内溝２ｕ２が形成されている。
【０１２６】
そして、第１感染制御ブロック４１Ａの下部および上部には、下フレーム２ｓの下案内溝２ｓ１および上フレーム２ｕの上案内溝２ｕ２との間にそれぞれ挟んで、第１感染制御ブロック４１Ａを設定位置に弾性力で留めるクリップ状の支持部材４１ｈ１、４１ｈ２が設けられている。
【０１２７】
例えば、病院の管理員は、支持部材４１ｈ１、４１ｈ２に弾性力に抗して力を加え、下フレーム２ｓ、上フレーム２ｕとの間から外してホールドを解除し、第１感染制御ブロック４１Ａを、フレーム２の下フレーム２ｓと上フレーム２ｕに沿って所望の位置に移動させることができる(図９(ａ)、(ｂ)の矢印β３)。
【０１２８】
フード４３Ａは、ファンフィルタ動ユニット４５Ａの下部に回転自在に支持される複数の骨部材４３Ａ１と、各骨部材４３Ａ１に留められ柔軟性がある透明または半透明のシート部材４３Ａ２とを有している。
図９に示すように、骨部材４３Ａ１は、第１感染制御ブロック４１Ａ側が開口する略コ字状の形状を有しており、骨部材４３Ａ１の両端部が第１感染制御ブロック４１Ａのファンフィルタ動ユニット４５Ａに回転自在に支持されている。
【０１２９】
フレーム２の上フレーム２ｕには、図１０(ｂ)に示すように、フード４３Ａが下フレーム２ｓ、上フレーム２ｕ側に折り畳まれた際に保持される不図示のホールド部材が設けられている。
第１感染制御ブロック４１Ａを使用しない時には、図１０(ｂ)に示すように、フード４３Ａはフレーム２の本体部２ｈ側に折り畳まれ、不図示のホールド部材で保持されている。
第１感染制御ブロック４１Ａを使用する際には、図１０(ａ)に示すように、不図示のホールド部材が外され、フード４３Ａが患者ｐ１の頭部ｐ１ａを覆って広げられる。
【０１３０】
同様に、ファンフィルタ動ユニット４５Ｂは、フード４３Ｂ内の空気を吸い込む吸い込み口４５Ｂ１と、フード４３Ｂ内の空気を吸い込んで吐き出すファン４５Ｂ２と、吸い込まれた空気中のウイルスや病原菌、カビなどを含む飛沫が捕集され清浄化するフィルタ４５Ｂ３と、不図示の電源スイッチとを有している。
折り畳み自在なフード４３Ｂとこれに対応するファンフィルタ動ユニット４５Ｂとで、第２感染制御ブロック４１Ｂが構成される。
上述の如く、第２感染制御ブロック４１Ｂは、上述の第１感染制御ブロック４１Ａと同様な構成であるので、以下、説明を割愛する。
【０１３１】
＜感染制御ユニット４１の使用法＞
次に、感染制御ユニット４１の使用法について説明する。
まず、病院の管理員は、図１０(ａ)に示す第１感染制御ブロック４１Ａと下・上フレーム２ｓ、２ｕの下・上案内溝２ｓ１、２ｕ２との間にある支持部材４１ｈ１、４１ｈ２を、弾性力に抗して力を加えて取り外す。
そして、図９(ｂ)に示す椅子Ｃ２の位置に、第１感染制御ブロック４１Ａを矢印β３方向に移動させ、合わせる。
【０１３２】
その後、図１０(ａ)に示すように、支持部材４１ｈ１、４１ｈ２を、それぞれ第１感染制御ブロック４１Ａのファンフィルタ動ユニット４５Ａと下・上フレーム２ｓ、２ｕの下・上案内溝２ｓ１、２ｕ２との間にセットし、第１感染制御ブロック４１Ａをフレーム２の本体部２ｈに固定する。
こうして、図９(ｂ)に示すように、第１感染制御ブロック４１Ａが椅子Ｃ２に適合するように、位置調整され固定される。
【０１３３】
同様に、病院の管理員は、図１０(ｂ)と同様な第２感染制御ブロック４１Ｂと下・上フレーム２ｓ、２ｕの下・上案内溝２ｓ１、２ｕ２との間にある支持部材４１ｈ１、４１ｈ２を、弾性力に抗して力を加えて取り外す。
そして、図９(ｂ)に示すように、第２感染制御ブロック４１Ｂを矢印β３方向に移動させ、椅子Ｃ３の位置に合わせる。
【０１３４】
その後、図１０(ａ)と同様に、支持部材４１ｈ１、４１ｈ２を、それぞれ第２感染制御ブロック４１Ｂのファンフィルタ動ユニット４５Ｂと下・上フレーム２ｓ、２ｕの下・上案内溝２ｓ１、２ｕ２との間にセットし、第２感染制御ブロック４１Ｂをフレーム２の下・上フレーム２ｓ、２ｕに固定する。
こうして、図９(ｂ)に示すように、第２感染制御ブロック４１Ｂが椅子Ｃ３に適合するように、位置調整され固定される。
【０１３５】
そして、病院の管理員は、ファンフィルタ動ユニット４５Ａの不図示の電源スイッチを“オン”し、ファン４５Ａ２を稼動させるとともに、ファンフィルタ動ユニット４５Ｂの不図示の電源スイッチを“オン”し、ファン４５Ｂ２を稼動させる。
その後、図１０(ｂ)に示すように、患者ｐ１が椅子Ｃ２に座る。そして、椅子Ｃ２に座った患者ｐ１は、不図示のホールド部材を外し、フード４３Ａを広げる。すると、図１０(ａ)に示すように、患者ｐ１の頭部ｐ１ａがフード４３Ａで覆われる。
【０１３６】
フード４３Ａ内の空気は、図１０(ａ)の矢印α４のように、吸い込み口４５Ａ１からファンフィルタ動ユニット４５Ａ内に吸い込まれる。そして、吸い込まれた空気は、フィルタ４５Ａ３でウイルスや病原菌、カビなどを含む飛沫が捕集され、ファンフィルタ動ユニット４５Ａから、図１０(ａ)の矢印α５のように、清浄になった空気が室内に排出される。
【０１３７】
同様に、図９(ａ)に示すように、患者ｐ２が椅子Ｃ３に座る。そして、椅子Ｃ３に座った患者ｐ２は、不図示のホールド部材を外し、フード４３Ｂを広げ、患者ｐ２の頭部ｐ２ａをフード４３Ａで覆う。
【０１３８】
すると、フード４３Ｂ内の空気は、図１０(ａ)の矢印α４と同様に、吸い込み口４５Ｂ１からファンフィルタ動ユニット４５Ｂ内に吸い込まれる。そして、吸い込まれた空気は、フィルタ４５Ｂ３でウイルスや病原菌、カビなどを含む飛沫が捕集され、ファンフィルタ動ユニット４５Ｂから、図１０(ａ)の矢印α５と同様に、清浄になった空気が室内に排出される。
上述の患者ｐ１、ｐ２が感染制御ユニット４１を使用している状態が、図９(ａ)である。
【０１３９】
上記実施形態４の構成によれば、感染制御ユニット４１における第１感染制御ブロック４１Ａと第２感染制御ブロック４１Ｂとは、フレーム２の下・上フレーム２ｓ、２ｕに沿って移動自在である。そのため、椅子Ｃ２の位置に合わせて第１感染制御ブロック４１Ａを配置でき、また、椅子Ｃ３の位置に合わせて第２感染制御ブロック４１Ｂを配置できる。そのため、使い勝手が極めて良い。
【０１４０】
また、各ユーザ毎に第１感染制御ブロック４１Ａと第２感染制御ブロック４１Ｂとが独立して、それぞれファン４５Ａ２とフィルタ４５Ａ３、ファン４５Ｂ２とフィルタ４５Ｂ３を有するので、各フード４３Ａ、４３Ｂ内の空気の清浄化性能が高い。
なお、実施形態１の作用効果は、実施形態４においても同様に奏する。
【０１４１】
なお、第１感染制御ブロック４１Ａ、第２感染制御ブロック４１Ｂを、それぞれローラ４１ｒを用いて移動させる場合を例示したが、ローラ４１ｒを用いないで移動させる構成としてもよい。
【０１４２】
また、フード４３Ａ、４３Ｂの開閉は、実施形態１の変形例１で説明したように、自動にしてもよいし、手動にしてもよい。
また、フード４３Ａ、４３Ｂの構成は、実施形態１の変形例２と同様な骨部材４３Ａ１、４３Ｂ１をそれぞれ、２本とする構成を適用してもよい。
また、感染制御ユニット４１は、２人用の場合を例示したが、感染制御ユニット４１の構成を適用して何人用にするかは適宜選択できるのは勿論である。
【０１４３】
＜＜実施形態５＞＞
図１１(ａ)は、本発明に係る実施形態５の感染制御ユニットの使用状態を示す斜視図であり、図１１(ｂ)は、実施形態５の感染制御ユニットの未使用状態を示す斜視図である。
実施形態５の感染制御ユニット５１は、実施形態４の感染制御ユニット４１のファン４５Ａ２、４５Ｂ２とフィルタ４５Ａ３、４５Ｂ３とを、各人別でなく、一つに集約して構成したものである。
これ以外の構成は、実施形態１と同様であるから、同一の構成要素には同一の符号を付して示し、詳細な説明は省略する。
【０１４４】
感染制御ユニット５１は、椅子Ｃ２、Ｃ３の位置に対応して移動させた移動自在(図１１(ａ)の矢印β３参照)な第１感染制御ブロック５１Ａと第２感染制御ブロック５１Ｂとを具備している。
第１感染制御ブロック５１Ａは、折り畳み自在なフード５３Ａとこれに対応する移動ユニット５５Ａとを備えている。
第２感染制御ブロック５１Ｂは、折り畳み自在なフード５３Ｂとこれに対応する移動ユニット５５Ｂとを備えている。
【０１４５】
第１感染制御ブロック５１Ａの移動ユニット５５Ａは、前方(椅子Ｃ２がある方)の略中央部に、図１１(ａ)に示すように、広げたフード５３Ａ内の空気を吸い込む吸い込み口５５Ａ１が設けられている。
第２感染制御ブロック５１Ｂの移動ユニット５５Ｂは、前方(椅子Ｃ３がある方)の略中央部に、図１１(ａ)に示すように、広げたフード５３Ｂ内の空気を吸い込む吸い込み口５５Ｂ１が設けられている。
【０１４６】
第１感染制御ブロック５１Ａの移動ユニット５５Ａと、第２感染制御ブロック５１Ｂの移動ユニット５５Ｂとには、それぞれ移動ユニット５５Ａの吸い込み口５５Ａ１、移動ユニット５５Ｂの吸い込み口５５Ｂ１で吸い込んだ空気が流れる風路が形成されるダクト５４の一端部が接続されている。
ダクト５４の他端部には、第１・第２感染制御ブロック５１Ａ、５１Ｂでそれぞれ吸い込んだ空気を清浄化して、清浄化した空気を室内に送るファン・フィルタユニット５５が接続されている。
【０１４７】
＜ダクト５４＞
ダクト５４は、フレキシブルダクトであり、屈曲自在である。ダクト５４は、例えば、蛇腹構造とし、布、プラスチック、金属などの膜ないしは板状の部材で製作し、山折りと谷折りの繰り返し構造とするとよい。或いは、ダクト５４がフレキシブルダクトの場合、布、薄いゴム、合成繊維などの可撓性の材料を用いて構成してもよい。
【０１４８】
ダクト５４は、主ダクト５４ａと、分岐ダクト５４ｂと、主ダクト５４ａの流路と分岐ダクト５４ｂの各流路とをそれぞれ接続するＴ字状のダクト継ぎ手５４ｃとを具えている。主ダクト５４ａと分岐ダクト５４ｂとは、フレキシブルダクトであり、自在に屈曲することができる。そのため、椅子Ｃ２、Ｃ３の位置に対応して、ダクト５４が接続される第１感染制御ブロック５１Ａと第２感染制御ブロック５１Ｂとを移動させることができる。
【０１４９】
＜ファンフィルタユニット５５＞
図１１(ａ)に示すように、ファンフィルタユニット５５は、ウイルスや病原菌、カビなどを含む飛沫を捕集するＨＥＰＡフィルタや中性能フィルタなどのフィルタ５５ａと、雑菌などを含む空気を吸い込む気流を発生させるファン５５ｂと、不図示の電源と、電源スイッチ５５ｃとを備えている。
【０１５０】
主ダクト５４ａの下流部は、ファンフィルタユニット５５の吸い込み口５５ｄに接続される。
ファンフィルタユニット５５の電源スイッチ５５ｃを“オン”することにより、ファン５５ｂが稼動し、ダクト５４を通じて、患者の飛沫を含む空気が吸い込まれ、フィルタ５５ａによって、ウイルスや病原菌、カビなどを含む飛沫が捕集され、清浄化された空気がファンフィルタユニット５５の吐き出し口５５ｅから吐き出される(図１１(ａ)の矢印α３参照)。
【０１５１】
＜第１感染制御ブロック５１Ａ＞
図１２(ａ)は、図１１に示す第１感染制御ブロックの使用状態の移動ユニットの側断面図であり、図１２(ｂ)は、図１１に示す第１感染制御ブロックのフードを閉じた不使用状態の移動ユニットの側断面図である。
第１感染制御ブロック５１Ａの移動ユニット５５Ａは、フレーム２に沿って移動自在な構成である(図１１(ａ)の矢印β３参照)。
【０１５２】
そのため、第１感染制御ブロック５１Ａの移動ユニット５５Ａの下部には、ローラ５１ｒを有する下被案内部５１ｓ１が形成され、移動ユニット５５Ａの上部には、上被案内部５１ｓ２が形成されている。
【０１５３】
一方、フレーム２の下部フレーム２ｓには、移動ユニット５５Ａの下側の下被案内部５１ｓ１が嵌合され案内される凹状の下案内溝２ｓ１が形成されており、上部フレーム２ｕには、移動ユニット５５Ａの上側の上被案内部５１ｓ２が嵌合され案内される凹状の上案内溝２ｕ１が形成されている。
【０１５４】
そして、第１感染制御ブロック５１Ａの移動ユニット５５Ａの下部および上部には、下部フレーム２ｓの下案内溝２ｓ１および上部フレーム２ｕの上案内溝２ｕ１をそれぞれ弾性力をもって挟み、第１感染制御ブロック５１Ａを設定位置に固着するクリップ状の支持部材５１ｈ１、５１ｈ２が設けられている。
【０１５５】
クリップ状の支持部材５１ｈ１、５１ｈ２は、それぞれ下部フレーム２ｓの下案内溝２ｓ１の形成箇所、上部フレーム２ｕの上案内溝２ｕ１の形成箇所を挟むように弾性力で付勢されている。例えば、病院の管理員は、クリップ状の支持部材５１ｈ１、５１ｈ２にそれぞれ弾性力に抗して力を加え、クリップ状の支持部材５１ｈ１、５１ｈ２を緩め、第１感染制御ブロック５１Ａを、フレーム２の側方に移動させることができる。
【０１５６】
図１２(ａ)、(ｂ)に示すように、第１感染制御ブロック５１Ａの移動ユニット５５Ａには、フード５３Ａが開閉自在に設けられている。
フード５３Ａは、移動ユニット５５Ａの下部に回転自在に支持される複数の骨部材５３Ａ１と、各骨部材５３Ａ１に留められ柔軟性がある透明または半透明のシート部材５３Ａ２とを有している。
【０１５７】
図１１に示すように、骨部材５３Ａ１は、移動ユニット５５Ａ側が開口する略コ字状の形状を有しており、骨部材５３Ａ１の両端部が移動ユニット５５Ａに回転自在に支持されている。
移動ユニット５５Ａには、図１２(ｂ)に示すように、フード５３Ａが移動ユニット５５Ａ側に折り畳まれた際に保持される不図示のホールド部材が設けられている。
【０１５８】
第１感染制御ブロック５１Ａの未使用時には、図１２(ｂ)に示すように、フード５３Ａは移動ユニット５５Ａ側に折り畳まれ、不図示のホールド部材で保持されている。
第１感染制御ブロック５１Ａの使用時には、図１２(ａ)に示すように、不図示のホールド部材が外され、フード５３Ａが広げられ、ユーザの頭部(患者ｐ１の頭部ｐ１ａ)が覆われる。
【０１５９】
第１感染制御ブロック５１Ａの移動ユニット５５Ａには、吸い込み口５５Ａ１からの風路に連通して後部に丸ダクト部材５５Ａ２が設けられている。丸ダクト部材５５Ａ２は、分岐ダクト５４ｂの端部５４ｂ１や、主ダクト５４ａの端部５４ａ１を差し込んで取り付け(図１２(ｂ)の矢印γ１、図１２(ａ)参照)、かつ、取り外し(図１２(ｂ)の矢印γ２)可能な構造である。例えば、分岐ダクト５４ｂの端部５４ｂ１や、主ダクト５４ａの端部５４ａ１を差し込んで取り付け、取り外しできるワンタッチ構造などである。
【０１６０】
＜第２感染制御ブロック５１Ｂ＞
第２感染制御ブロック５１Ｂは、上述の第１感染制御ブロック５１Ａと同様な構造であるから、説明は省略する。
【０１６１】
＜感染制御ユニット５１の使用＞
次に、感染制御ユニット５１の使用について説明する。
感染制御ユニット５１の使用に際しては、例えば、病院の管理員は、感染制御ユニット５１をキャスタ２ｃ１、２ｃ２で移動し、椅子Ｃ２、Ｃ３の近くに移動する。
【０１６２】
そして、病院の管理員は、図１２(ｂ)に示す第１感染制御ブロック５１Ａの支持部材５１ｈ１、５１ｈ２に弾性力に抗して力を加えて緩め、椅子Ｃ２に対応する位置に第１感染制御ブロック５１Ａを移動し、第１感染制御ブロック５１Ａを、支持部材５１ｈ１、５１ｈ２で弾性力をもってフレーム２に固着する。
【０１６３】
同様に、例えば、病院の管理員は、図１１(ｂ)に示す第２感染制御ブロック５１Ｂの支持部材５１ｈ１、５１ｈ２に弾性力に抗して力を加えて緩め、椅子Ｃ３と対応する位置に第２感染制御ブロック５１Ｂを移動し、第２感染制御ブロック５１Ｂを、支持部材５１ｈ１、５１ｈ２で弾性力をもってフレーム２に固着する。
【０１６４】
続いて、病院の管理員は、分岐ダクト５４ｂの端部５４ｂ１を把持して、分岐ダクト５４ｂの端部５４ｂ１を第１感染制御ブロック５１Ａの丸ダクト部材５５Ａ２に接続する(図１２(ａ)参照)。また、病院の管理員は、主ダクト５４ａの端部５４ａ１を把持して、主ダクト５４ａの端部５４ａ１を第２感染制御ブロック５１Ｂの丸ダクト部材５５Ｂ２に接続する(図１２(ａ)参照)。
【０１６５】
そして、病院の管理員は、ファンフィルタユニット５５の電源スイッチ５５ｃを、“ＯＮ”し、ファンフィルタユニット５５に電源を入れ、稼働状態とする。
【０１６６】
これにより、第１感染制御ブロック５１Ａの吸い込み口５５Ａ１から空気が吸い込まれ、分岐ダクト５４ｂを介して、主ダクト５４ａに流入する。また、第２感染制御ブロック５１Ｂの吸い込み口５５Ｂ１から空気が吸い込まれ、主ダクト５４ａに流入する。主ダクト５４ａに流入した空気は、ファンフィルタユニット５５に吸い込まれ、フィルタ５５ａでウイルスや病原菌、カビなどを含む飛沫が捕集され、清浄化された空気が吐き出し口５５ｅから吐き出される(図１１(ａ)の矢印α３参照)。
【０１６７】
その後、図１２(ｂ)に示すように、患者ｐ１が椅子Ｃ２に座り、不図示のホールド部材を外し、フード５３Ａを広げ、患者ｐ１の頭部ｐ１ａをフード５３Ａで覆う(図１２(ａ)参照)。すると、患者ｐ１の咳きやくしゃみによる飛沫を含む空気が、吸い込み口５５Ａ１から吸い込まれ、分岐ダクト５４ｂを介して、主ダクト５４ａに流入する。そして、ファンフィルタユニット５で清浄化されて吐き出し口５ｅから吐き出される(図１１(ａ)の矢印α３参照)。
【０１６８】
同様に、図１１(ａ)に示すように、患者ｐ２が椅子Ｃ３に座り、不図示のホールド部材を外し、フード５３Ｂを広げ、患者ｐ２の頭部ｐ２ａをフード５３Ｂで覆う。すると、患者ｐ２の咳きやくしゃみによる飛沫を含む空気は、吸い込み口５５Ｂ１から吸い込まれ、主ダクト５４ａに流入する。そして、ファンフィルタユニット５で清浄化されて吐き出し口５ｅから吐き出される(図１１(ａ)の矢印α３参照)。
【０１６９】
実施形態５の感染制御ユニット５１によれば、第１感染制御ブロック５１Ａ、第２感染制御ブロック５１Ｂは、椅子Ｃ２、Ｃ３の位置に合わせてそれぞれ移動自在であるので、環境に適合させて、感染制御ユニット５１を使用することが可能である。
【０１７０】
また、ユーザ(患者ｐ１、ｐ２)のそれぞれの頭部ｐ１ａ、ｐ２ａは、それぞれフード５３Ａ、５３Ｂで覆われるため、一方または両者が咳やくしゃみをしても飛沫を含む空気が、吸い込み口５５Ａ１や吸い込み口５５Ｂ１で吸い込まれ、ファンフィルタユニット５５で清浄化されて吐き出し口５５ｅから吐き出される(図１１(ａ)の矢印α３参照)。そのため、各ユーザ(患者ｐ１、ｐ２)が他者の飛沫による感染を抑制または防止することができる。
【０１７１】
そして、例えば、ユーザ(患者ｐ１)が感染制御ユニット５１を使用したくなければ、図１１(ｂ)、図１２(ｂ)に示すように、第１感染制御ブロック５１Ａのフード５３Ａを降ろさなければよい。同様に、ユーザ(患者ｐ２)が感染制御ユニット５１を使用したくなければ、第２感染制御ブロック５１Ｂのフード５３Ｂを降ろさなければよい。
また、前記の実施形態１の作用効果は、同様に奏する。
【０１７２】
なお、実施形態５では、第１・第２感染制御ブロック５１Ａ、５１Ｂをローラ５１ｒを用いて移動させる場合を例示したが、ローラ５１ｒを用いないで移動させる構成としてもよい。
また、フード５３Ａ、５３Ｂの開閉は、実施形態１の変形例１で説明したように、自動にしてもよいし、手動にしてもよい。
【０１７３】
また、フード５３Ａ、５３Ｂの構成は、実施形態１の変形例２と同様な骨部材５３Ａ１、５３Ｂ１をそれぞれ２本とする構成を適用してもよい。
また、感染制御ユニット５１は、２人用の場合を例示したが、感染制御ユニット５１の構成を適用して、何人用にするかは適宜選択できるのは勿論である。
【０１７４】
なお、前記した実施形態では、様々な構成をそれぞれ説明したが、説明した構成を適宜選択して組み合わせて構成してもよい。
以上、本発明の様々な実施形態を述べたが、本発明の範囲内で様々な修正と変更が可能である。すなわち、本発明の具体的形態は、発明の趣旨を変更しない範囲において適宜、任意に変更可能である。
【符号の説明】
【０１７５】
１、１Ａ、１Ｂ、２１、３１、４１、５１  感染制御ユニット
２      フレーム(支持台)
２ｃ１、２ｃ２  キャスタ(移動手段)
３      フード
３ａ    フード
３ａ１、４３Ａ２  シート部材
３ａ２、３ａ３、３ａ４、３ａ５、４３Ａ１  骨部材
３ｂ１  シート部材
３ｄ１、３ｄ２、３ｄ３  仕切り板(仕切り部)
３ｈ１  骨部材(第１骨部材)
３ｈ２  骨部材(第２骨部材)
４      フード(清浄化手段)
５      ファンフィルタユニット(清浄化手段)
２３ｅ１、２３ｅ２、２３ｆ１、２３ｆ２、２３ｇ１、２３ｇ２、２３ｈ１、２３ｈ２  天板(移動部材)
４１ｒ  ローラ(請求項４のフード・清浄器移動手段)
４３Ａ、４３Ｂ  フード(請求項４のフード)
４５Ａ、４５Ｂ  ファンフィルタ動ユニット(請求項４の清浄化手段)
５１ｒ  ローラ(フード移動手段)
５４    ダクト(フレキシブルダクト)
５４ａ  主ダクト(フレキシブルダクト)
５４ｂ  分岐ダクト(フレキシブルダクト)
５５    ファン・フィルタユニット(ファン・フィルタ部)
５５ａ  フィルタ
５５ｂ  ファン
Ｃ１    長椅子(椅子)
Ｃ２、Ｃ３  椅子
ｐ１、ｐ２  患者(ユーザ)
ｐ１ａ、ｐ２ａ  頭部
【図１】
2015037475.tif 000003
【図２】
2015037475.tif 000004
【図３】
2015037475.tif 000005
【図４】
2015037475.tif 000006
【図５】
2015037475.tif 000007
【図６】
2015037475.tif 000008
【図７】
2015037475.tif 000009
【図８】
2015037475.tif 000010
【図９】
2015037475.tif 000011
【図１０】
2015037475.tif 000012
【図１１】
2015037475.tif 000013
【図１２】
2015037475.tif 000014